(57)【要約】  【課題】土丹等の固い地盤を含む如何なる地盤に於いても所定の拡大掘削径を確実に得られ、且つ、拡大掘削時の掘削抵抗を低く抑えて、大きな拡大掘削径が容易に得られる拡大掘削ビットを提供する。  【解決手段】中掘工法に於いて、スクリューオーガ１１の先端部に取り付けられる拡大掘削ビット１２は、固定刃である掘削爪１５と開閉式の拡大翼１６とを備え、既製杭１０の先端部より突出した状態で前記拡大翼１６が既製杭１０の外径よりも大きく拡開するように形成される。更に、スクリューオーガ１１の側方に向けて高圧水を噴射するノズル１７を備え、必要に応じて、ノズル１７からスクリューオーガ１１の軸直角方向に向けて高圧水を噴射するように形成する。【選択図】図１
2005105776.tif 000002
【特許請求の範囲】
【請求項１】
既製杭の中空部にスクリューオーガを挿入し、杭穴を掘削しながら既製杭を埋設する中掘工法に於いて、
前記スクリューオーガの先端部に取り付けられ、固定刃である掘削爪と開閉式の拡大翼とを備え、既製杭の先端部より突出した状態で前記拡大翼が既製杭の外径よりも大きく拡開するように形成され、更に、スクリューオーガの側方に向けて高圧水を噴射するノズルを備えたことを特徴とする中掘工法に於ける拡大掘削ビット。
【発明の詳細な説明】
【技術分野】
【０００１】
本発明は中掘工法に於ける拡大掘削ビットに関するものであり、特に、地盤に応じて最適な掘削施工を行える拡大掘削ビットに関するものである。
【背景技術】
【０００２】
従来、既製杭の中空部にスクリューオーガを挿入し、杭穴を掘削しながら既製杭を埋設する中掘工法に於いて、前記スクリューオーガの先端部に掘削ビットを取り付け、拡大掘削羽を既製杭の外径よりも大きく拡開し、根固め部を拡大掘削するように形成した掘削装置は知られている。
【０００３】
例えば、本願出願人は、拡大径の大きな掘削羽と拡大径の小さな掘削羽とを備え、双方の掘削羽がともに拡大するように形成した掘削ビットを既に出願している（特許文献１参照）。
【０００４】
また、図４及び図５に示すように、スクリューオーガ１の先端部に取り付けた掘削ビット２にノズル３を設け、掘削ビット２を回転させながら、ノズル３から側方へ向けて高圧水を噴射することにより、根固め部を拡大掘削するように形成した掘削ビットも知られている。尚、図中符号４は弁、５は逆止弁、６は逆止弁押えである。
【特許文献１】特公平３−７９５１８号公報。
【発明の開示】
【発明が解決しようとする課題】
【０００５】
特許文献１記載の掘削ビットは、拡大翼を拡開して機械的に掘削するため、地盤の強度に左右されることなく所定の拡大掘削径が得られ、土丹等の固い泥岩に於ける施工も可能であるが、掘削ビットに大きな拡大掘削抵抗が生じるため、掘削に高トルクが必要になるとともに拡大翼の機械的強度の問題等から、拡大掘削径を大きくするのが困難である。
【０００６】
一方、ノズルから高圧水を噴射する掘削ビットは、掘削ビットに生じる拡大掘削抵抗を低く抑えることができるが、得られる拡大掘削径は地盤の強度に左右され易く、その強度によっては予定の掘削径に達しない場合もある。また、土丹等の固い地盤は施工が不可能である。
【０００７】
そこで、土丹等の固い地盤を含む如何なる地盤に於いても所定の拡大掘削径を確実に得られ、且つ、拡大掘削時の掘削抵抗を低く抑えて、大きな拡大掘削径が容易に得られる拡大掘削ビットを提供するために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、既製杭の中空部にスクリューオーガを挿入し、杭穴を掘削しながら既製杭を埋設する中掘工法に於いて、前記スクリューオーガの先端部に取り付けられ、固定刃である掘削爪と開閉式の拡大翼とを備え、既製杭の先端部より突出した状態で前記拡大翼が既製杭の外径よりも大きく拡開するように形成され、更に、スクリューオーガの側方に向けて高圧水を噴射するノズルを備えたことを特徴とする中掘工法に於ける拡大掘削ビットを提供する。
【０００９】
拡大翼を拡開して掘削すれば、土丹等の固い地盤でも所定の拡大掘削径を確実に得られる。また、比較的軟弱な地盤ではノズルから高圧水を噴射することによって拡大翼以上に大きな拡大掘削径が得られる。更に、地盤によっては、拡大翼による掘削と高圧水の噴射による掘削とを組み合わせることにより、拡大掘削時の掘削抵抗が低減する。
【発明の効果】
【００１０】
請求項１記載の発明は、地盤によって拡大翼の拡開による掘削と高圧水の噴射による掘削とを任意に選択し、或いは。双方を組み合わせることにより、あらゆる地盤に於いても、所定の拡大掘削径が確実に施工でき、しかも、拡大掘削時の掘削抵抗を低減でき、機械的寿命を長くできる。
【発明を実施するための最良の形態】
【００１１】
以下、本発明の一実施の形態を図１乃至図３に従って詳述する。中掘工法では、円筒状の既製杭１０の中空部にスクリューオーガ１１を挿入し、該スクリューオーガ１１の先端部に拡大掘削ビット１２を取り付ける。
【００１２】
この拡大掘削ビット１２は、スクリューオーガ１１に装着するためのジョイント部１３と、掘削ビット本体１９とからなり、前記ジョイント部１３はスクリューオーガ１１に装着するために六角柱状または八角柱状に形成されている。
【００１３】
一方、前記掘削ビット本体１９は、外周部に設けられた複数のスクリュー部１４と、先端部に固定された掘削爪１５と、開閉式の拡大翼１６とからなり、掘削ビット本体１９が既製杭１０の先端部より突出した状態で、前記拡大翼１６が略水平状態に拡開すると、既製杭１０の外径よりも大きく拡開するように構成されている。
【００１４】
前記掘削ビット本体１９には、更に、前記スクリュー部１４の外縁部にノズル１７を備え、必要に応じて、該ノズル１７からスクリューオーガ１１の側方（斜め側方も含む）に向けて高圧水を噴射するように形成してある。尚、１８は根固め液の吐出口である。
【００１５】
而して、前記既製杭１０の先端部が支持地盤の近傍まで沈設されたとき、比較的軟弱な地盤では、前記拡大翼１６を閉じた状態で拡大掘削ビット１２を回転させながら、前記ノズル１７から高圧水を噴射することにより拡大掘削を行う。
【００１６】
そして、所定の拡大掘削径が得られた後は、前記吐出口１８からセメントミルク等の根固め液を吐出して、支持地盤及びその近傍の拡大掘削径部分に根固め液を充填し、前記拡大掘削ビット１２を引き上げて、前記既製杭１０の根固め施工を完了させる。
【００１７】
高圧水の噴射による掘削では、拡大翼１６以上に大きな拡大掘削径が得られるため、支持地盤への負荷荷重度が少なくなり、先端支持力の向上が図れる。
【００１８】
一方、前記既製杭１０の先端部が支持地盤の近傍まで沈設されたとき、土丹等の固い地盤では、前記拡大翼１６を拡開した状態で拡大掘削ビット１２を回転させ、該拡大翼１６の先端に設けた掘削爪１６ａにて拡大掘削を行う。
【００１９】
前述と同様に、所定の拡大掘削径が得られた後は、前記吐出口１８からセメントミルク等の根固め液を吐出して、支持地盤及びその近傍の拡大掘削径部分に根固め液を充填し、前記拡大掘削ビット１２を引き上げて、前記既製杭１０の根固め施工を完了させる。
【００２０】
該拡大翼１６による掘削では、土丹等の固い地盤に於いても機械的に掘削するため、所定の拡大掘削径を確実に得られる。
【００２１】
また、地盤によっては、前記拡大翼１６による掘削とノズル１７から噴射する高圧水による掘削とを組み合わせることにより、如何なる地盤であっても所定の拡大掘削径を得られ、且つ、拡大掘削時の掘削抵抗を低減することができる。
【００２２】
尚、本発明は、本発明の精神を逸脱しない限り種々の改変を為すことができ、そして、本発明が該改変されたものに及ぶことは当然である。
【図面の簡単な説明】
【００２３】
【図１】本発明の一実施の形態を示す縦断正面図。
【図２】拡大翼が拡開状態の拡大掘削ビットの正面図。
【図３】拡大翼が拡開状態の拡大掘削ビットの側面図。
【図４】従来の高圧水噴射式掘削ビットの正面図。
【図５】従来の高圧水噴射式掘削ビットの縦断部分側面図。
【符号の説明】
【００２４】
１０    既製杭
１０ａ  中空部
１１    スクリューオーガ
１２    拡大掘削ビット
１５    掘削爪
１６    拡大翼
１７    ノズル
１８    吐出口
１９    掘削ビット本体
【図１】
2005105776.tif 000003
【図２】
2005105776.tif 000004
【図３】
2005105776.tif 000005
【図４】
2005105776.tif 000006
【図５】
2005105776.tif 000007